【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】  電気インピーダンス・トモグラフィ（EIT）のデータにより患者の肺又は該肺の選択領域から得られる情報をEITモニタに表示するための方法であって、
上記EITモニタにて複数の所定の処理モード及び複数の所定の画面モードが実行されると共に、該所定の画面モードが該処理モードの一に対応するオンラインにて画像化された機能像を含み、該画面モードが該機能像と比較した場合に更なるデータの削減を提供するものにおいて、
上記EITデータを上記複数の所定の処理モードで処理する工程と、
上記所定の処理モードの結果に従い、上記肺又は該肺の選択領域の特定の状態を判定する工程と、
上記処理モードにより肺の状態が悪いと判定された場合は各処理モードに対応する機能像を画面モードとして選択し、肺の状態が健康であると判定された場合は更なるデータの削減を提供する画面モードを選択する工程と、
上記選択された画面モードに従い、上記EITデータを表示する工程と、
を含むことを特徴とする方法。
【請求項２】  請求項１に記載の方法において、上記画面モードがユーザの要求に応じて更新されることを特徴とするもの。
【請求項３】  請求項１に記載の方法において、上記表示EITデータがリアルタイムに更新されることを特徴とするもの。
【請求項４】  請求項１〜３のいずれかに記載の方法において、上記EITデータが実行中のデータウィンドウに基づいて算出されることを特徴とするもの。
【請求項５】  請求項１〜４のいずれかに記載の方法において、肺の推定状態がユーザにより入力され、該肺の推定状態に応じて組み合わされた上記所定の処理モードで上記EITデータが処理されることを特徴とするもの。
【請求項６】  請求項１〜５のいずれかに記載の方法において、換気に起因するインピーダンス変化の平均分散を結果として生成する所定の処理モードとして、相対モードを設けたことを特徴とするもの。
【請求項７】  請求項１〜６のいずれかに記載の方法において、換気変化に係るインピーダンス変化の平均位相遅れを結果として生成する所定の処理モードとして、位相遅れモードを設けたことを特徴とするもの。
【請求項８】  請求項１〜７のいずれかに記載の方法において、肺灌流に起因するインピーダンス変化の平均分散を結果として生成する所定の処理モードとして、灌流モードを設けたことを特徴とするもの。
【請求項９】  請求項１〜８のいずれかに記載の方法において、平均絶対インピーダンスを結果として生成する所定の処理モードとして、絶対モードを設けたことを特徴とするもの。
【請求項１０】  請求項６及び８に記載の方法において、上記相対モードの結果と上記灌流モードの結果の比率を算出し、該換気／灌流比率を結果として生成する灌流比モードを設けたことを特徴とするもの。
【請求項１１】  請求項６〜１０のいずれかに記載の方法において、上記相対モードが低い結果を生成し、上記灌流モードが低い結果を生成し、且つ上記絶対モードが低い結果を生成する場合に、肺が肺梗塞の状態にあると判定されることを特徴とするもの。
【請求項１２】  請求項６〜１１のいずれかに記載の方法において、上記相対モードが正常な結果を生成し、上記灌流モードが低い結果を生成し、且つ上記絶対モードが正常な結果を生成する場合に、肺が肺塞栓の状態にあると判定されることを特徴とするもの。
【請求項１３】  請求項６〜１２のいずれかに記載の方法において、上記相対モードが低い結果を生成し、上記灌流モードが高い結果を生成し、且つ上記絶対モードが低い結果を生成する場合に、肺が限局性肺炎の状態にあると判定されることを特徴とするもの。
【請求項１４】  請求項６〜１３のいずれかに記載の方法において、上記相対モードが低い結果を生成し、上記灌流モードが低い結果を生成し、且つ上記絶対モードが高い結果を生成する場合に、肺が気腫性地域の状態にあると判定されることを特徴とするもの。
【請求項１５】  請求項６〜１４のいずれかに記載の方法において、上記相対モードが高い結果を生成し、上記位相遅れモードが極めて高い結果を生成し、且つ上記絶対モードが不安定な結果を生成する場合に、肺が周期性気道閉鎖の状態にあると判定されることを特徴とするもの。
【請求項１６】  請求項６〜１５のいずれかに記載の方法において、上記相対モードが極めて低い結果を生成し、上記位相遅れモードが極めて高い結果を生成し、且つ上記絶対モードが不安定な結果を生成する場合に、肺が空気トラッピングを伴う持続性気道閉鎖の状態にあると判定されることを特徴とするもの。
【請求項１７】  請求項６〜１６のいずれかに記載の方法において、上記相対モードが極めて低い結果を生成し、上記位相遅れモードが不安定な結果を生成し、且つ上記絶対モードが極めて低い結果を生成する場合に、肺が再吸収無気肺を伴う持続性気道閉鎖の状態にあると判定されることを特徴とするもの。
【請求項１８】  請求項１〜１７のいずれかに記載の方法において、機能像の各ピクセルが、上記肺の内部における該ピクセルの空間的位置を推定すると共に、対応する処理モードに係る該肺の導電率分布に応じて表示されることを特徴とするもの。
【請求項１９】  請求項１〜１８のいずれかに記載の方法において、更なるデータの削減を提供する上記画面モードが、上記肺の全体又は選択された関心領域に関する圧縮された情報を示す測定値又は計算値である数値を含むことを特徴とするもの。
【請求項２０】  請求項１〜１９のいずれかに記載の方法において、更なるデータの削減を提供する上記画面モードが、上記肺の全体又は選択された関心領域に関する圧縮された情報を示す測定データ又は計算データである図形を含むことを特徴とするもの。
【請求項２１】  請求項１〜２０のいずれかに記載の方法において、画面モードが、データ記憶域に図形パターンとして予め記憶されていて、対応する画面モードが選択されると直ちに該データ記憶域から取り出される図形要素から成ることを特徴とするもの。
【請求項２２】  電気インピーダンス・トモグラフィ（EIT）のデータにより患者の肺又は該肺の選択領域から得られる情報をEITモニタに表示するための装置であって、
上記EITモニタにて複数の所定の処理モード及び複数の所定の画面モードが実行されると共に、該所定の画面モードが該処理モードの一に対応するオンラインにて画像化された機能像を含み、該画面モードが該機能像と比較した場合に更なるデータの削減を提供するものにおいて、
上記EITデータを上記複数の所定の処理モードで処理するための手段と、
上記所定の処理モードの結果に従い、上記肺又は該肺の選択領域の特定の状態を判定するための手段と、
上記処理モードにより肺の状態が悪いと判定された場合は各処理モードに対応する機能像を画面モードとして選択し、肺の状態が健康であると判定された場合は更なるデータの削減を提供する画面モードを選択するための手段と、
上記選択された画面モードに従い、上記EITデータを表示するための手段と、
を備えることを特徴とする装置。
【請求項２３】  請求項２２に記載の装置において、上記画面モードがユーザの要求に応じて更新されることを特徴とするもの。
【請求項２４】  請求項２２に記載の装置において、上記表示EITデータがリアルタイムに更新されることを特徴とするもの。
【請求項２５】  請求項２２〜２４のいずれかに記載の装置において、上記EITデータが実行中のデータウィンドウに基づいて算出されることを特徴とするもの。
【請求項２６】  請求項２２〜２５のいずれかに記載の装置において、肺の推定状態がユーザにより入力され、該肺の推定状態に応じて組み合わされた上記所定の処理モードで上記EITデータが処理されることを特徴とするもの。
【請求項２７】  請求項２２〜２６のいずれかに記載の装置において、換気に起因するインピーダンス変化の平均分散を結果として生成する所定の処理モードとして、相対モードを設けたことことを特徴とするもの。
【請求項２８】  請求項２２〜２７のいずれかに記載の装置において、換気変化に係るインピーダンス変化の平均位相遅れを結果として生成する所定の処理モードとして、位相遅れモードを設けたことを特徴とするもの。
【請求項２９】  請求項２２〜２８のいずれかに記載の装置において、肺灌流に起因するインピーダンス変化の平均分散を結果として生成する所定の処理モードとして、灌流モードを設けたことを特徴とするもの。
【請求項３０】  請求項２２〜２９のいずれかに記載の装置において、平均絶対インピーダンスを結果として生成する所定の処理モードとして、絶対モードを設けたことを特徴とするもの。
【請求項３１】  請求項２７及び２９に記載の装置において、上記相対モードの結果と上記灌流モードの結果の比率を算出し、該換気／灌流比率を結果として生成する灌流比モードを設けたことを特徴とするもの。
【請求項３２】  請求項２７〜３１のいずれかに記載の装置において、上記相対モードが低い結果を生成し、上記灌流モードが低い結果を生成し、且つ上記絶対モードが低い結果を生成する場合に、肺が肺梗塞の状態にあると判定されることを特徴とするもの。
【請求項３３】  請求項２７〜３２のいずれかに記載の装置において、上記相対モードが正常な結果を生成し、上記灌流モードが低い結果を生成し、且つ上記絶対モードが正常な結果を生成する場合に、肺が肺塞栓の状態にあると判定されることを特徴とするもの。
【請求項３４】  請求項２７〜３３のいずれかに記載の装置において、上記相対モードが低い結果を生成し、上記灌流モードが高い結果を生成し、且つ上記絶対モードが低い結果を生成する場合に、肺が限局性肺炎の状態にあると判定されることを特徴とするもの。
【請求項３５】  請求項２７〜３４のいずれかに記載の装置において、上記相対モードが低い結果を生成し、上記灌流モードが低い結果を生成し、且つ上記絶対モードが高い結果を生成する場合に、肺が気腫性地域の状態にあると判定されることを特徴とするもの。
【請求項３６】  請求項２７〜３５のいずれかに記載の装置において、上記相対モードが高い結果を生成し、上記位相遅れモードが極めて高い結果を生成し、且つ上記絶対モードが不安定な結果を生成する場合に、肺が周期性気道閉鎖の状態にあると判定されることを特徴とするもの。
【請求項３７】  請求項２７〜３６のいずれかに記載の装置において、上記相対モードが極めて低い結果を生成し、上記位相遅れモードが極めて高い結果を生成し、且つ上記絶対モードが不安定な結果を生成する場合に、肺が空気トラッピングを伴う持続性気道閉鎖の状態にあると判定されることを特徴とするもの。
【請求項３８】  請求項２７〜３７のいずれかに記載の装置において、上記相対モードが極めて低い結果を生成し、上記位相遅れモードが不安定な結果を生成し、且つ上記絶対モードが極めて低い結果を生成する場合に、肺が再吸収無気肺を伴う持続性気道閉鎖の状態にあると判定されることを特徴とするもの。
【請求項３９】  請求項２２〜３８のいずれかに記載の装置において、機能像の各ピクセルが、上記肺の内部における該ピクセルの空間的位置を推定すると共に、対応する処理モードに係る該肺の導電率分布に応じて表示されることを特徴とするもの。
【請求項４０】  請求項２２〜３９のいずれかに記載の装置において、更なるデータの削減を提供する上記画面モードが、上記肺の全体又は選択された関心領域に関する圧縮された情報を示す測定値又は計算値である数値を含むことを特徴とするもの。
【請求項４１】  請求項２２〜４０のいずれかに記載の装置において、更なるデータの削減を提供する上記画面モードが、上記肺の全体又は選択された関心領域に関する圧縮された情報を示す測定データ又は計算データである図形を含むことを特徴とするもの。
【請求項４２】  請求項２２〜４１のいずれかに記載の装置において、画面モードが、データ記憶域に図形パターンとして予め記憶されていて、対応する画面モードが選択されると直ちに該データ記憶域から取り出される図形要素から成ることを特徴とするもの。